(57)【要約】【課題】種々の動物に対する臭気による忌避効果が長期間にわたって安定的に持続し、施工容易であり、放置しておいても環境を損なう虞れがなく、傾斜地における表土固定用として育成する草木の保護に好適な害獣忌避具を提供する。【解決手段】切断竹材１の節１１を底として上位に開口部１０ａを設けた中空部１０内に、臭気によって害獣を忌避させる害獣忌避剤２が収容されてなる害獣忌避具Ｔ１。【選択図】図１
2008283911.tif 000002
【特許請求の範囲】
【請求項１】
切断竹材の節を底として上位に開口部を設けた中空部内に、臭気によって害獣を忌避させる害獣忌避剤が収容されてなる害獣忌避具。
【請求項２】
害獣忌避剤が木酢液と籾酢液の少なくとも一方を含む液剤からなる請求項１に記載の害獣忌避具。
【請求項３】
害獣忌避剤が肉食獣の排泄物又はその成分を含む請求項１に記載の害獣忌避具。
【請求項４】
前記中空部内に液状の害獣忌避剤と共に当該害獣忌避剤に対する含浸性を有する繊維材が装填されてなる請求項１〜３のいずれかに記載の害獣忌避具。
【請求項５】
害獣忌避剤が油性液からなると共に、前記繊維材が親油性である請求項４に記載の害獣忌避具。
【請求項６】
前記開口部が竹材の径方向の切断口からなる請求項１〜５の何れかに記載の害獣忌避具。
【請求項７】
前記開口部が竹材の周面部に形成されてなる請求項１〜５の何れかに記載の害獣忌避具。
【請求項８】
切断竹材の下端側が斜め切りされてなる請求項１〜７の何れかに記載の害獣忌避具。
【請求項９】
切断竹材の下端側に細い棒状材が装着されてなる請求項１〜７の何れかに記載の害獣忌避具。
【請求項１０】
未使用状態で前記中空部の開口部に封止フィルムが貼着されてなる請求項１〜９の何れかに記載の害獣忌避具。
【請求項１１】
前記請求項１〜１０の何れかに記載の害獣忌避具を支柱として用いてなる害獣侵入防止柵。
【請求項１２】
地面に対し、前記請求項１〜１０の何れかに記載の害獣忌避具を適当間隔で突き立てて設置することを特徴とする害獣忌避工法。
【請求項１３】
前記地面が盛り土又は削土による傾斜地である請求項１２に記載の害獣忌避工法。
【発明の詳細な説明】
【技術分野】
【０００１】
本発明は、種々の植生保護域や畑、菜園等における害獣、例えば植生や作物を食害する猪、鹿、ウサギ、ネズミ等や、入り込んで植生を荒らす野良犬、野良猫、モグラ等を寄せ付けなくするのに好適な害獣忌避具及び害獣侵入防止柵と害獣忌避工法に関する。
【背景技術】
【０００２】
一般的に、山間部での路盤形成、宅地造成、造園等による造成地、とりわけ盛り土又は削土によって生じた傾斜地では、生育が早い草木の種蒔きや植え付けを行い、その発育による地中への根張りを利用して崩落及び表土流出を防止する手法が広く採用されている。しかるに、特に野生動物の多い地域では、草木が充分に育つ前に猪、鹿、ウサギ等に食べられてしまい、根張りによる表土固定効果が得られない場合が多々あった。
【０００３】
そこで、動物の嫌う臭気を発する薬剤を散布したり周辺に塗布したりする対策も採られているが、薬剤が降雨等で地中に逸散し易く、草木が充分に育つまで忌避効果が持続しにくいという難点があった。
【発明の開示】
【発明が解決しようとする課題】
【０００４】
本発明は、上述の情況に鑑み、種々の動物に対する臭気による忌避効果が長期間にわたって安定的に持続し、しかも施工容易である上、放置しておいても環境を損なう虞れがなく、とりわけ造成地における表土固定用として育成する草木の保護に好適な害獣忌避具及び及び害獣侵入防止柵と害獣忌避工法を提供することを課題としている。
【課題を解決するための手段】
【０００５】
上記課題を達成するための手段を図面の参照符号を付して示せば、本発明の請求項１に係る害獣忌避具Ｔ１〜Ｔ４は、切断竹材１の節１１を底として上位に開口部１０ａを設けた中空部１０内に、臭気によって害獣を忌避させる害獣忌避剤２が収容されてなるものとしている。
【０００６】
請求項２の発明は、上記請求項１の害獣忌避具Ｔ１〜Ｔ４において、害獣忌避剤２が木酢液と籾酢液の少なくとも一方を含む液剤からなる構成としている。
【０００７】
請求項３の発明は、上記請求項１の害獣忌避具Ｔ１〜Ｔ４において、害獣忌避剤２が肉食獣の排泄物又はその成分を含む構成としている。
【０００８】
請求項４の発明は、上記請求項１〜３の何れかの害獣忌避具Ｔ１〜Ｔ４において、前記中空部１０内に液状の害獣忌避剤２と共に当該害獣忌避剤２に対する含浸性を有する繊維材３が装填されてなる構成としている。
【０００９】
請求項５の発明は、上記請求項１〜４の何れかの害獣忌避具Ｔ１〜Ｔ４において、害獣忌避剤２が油性液からなると共に、前記繊維材が親油性である構成としている。
【００１０】
請求項６の発明は、上記請求項１〜５の何れかの害獣忌避具Ｔ１，Ｔ３，Ｔ４において、前記開口部１０ａが竹材１の径方向の切断口からなる構成としている。
【００１１】
請求項７の発明は、上記請求項１〜５の何れかの害獣忌避具Ｔ３，Ｔ４において、前記開口部１０ａが竹材１の周面部に形成されてなる構成としている。
【００１２】
請求項８の発明は、上記請求項１〜７の何れかの害獣忌避具Ｔ１において、切断竹材１の下端１ｂが斜め切りされてなる構成としている。
【００１３】
請求項９の発明は、上記請求項１〜７の何れかの害獣忌避具Ｔ２において、切断竹材１の下端１ｂ側に細い棒状材５が装着されてなる構成としている。
【００１４】
請求項１０の発明は、上記請求項１〜９の何れかの害獣忌避具Ｔ１〜Ｔ４において、未使用状態で中空部１０の開口部１０ａに封止フィルム４が貼着されてなる構成としている。
【００１５】
また、請求項１１の発明に係る害獣侵入防止柵Ｆは、上記請求項１〜１０の何れかに記載の害獣忌避具Ｔ４を支柱Ｐとして用いてなるものである。
【００１６】
一方、請求項１２の発明に係る害獣忌避工法は、地面に対し、上記請求項１〜１０の何れかの害獣忌避具Ｔ１〜Ｔ３を適当間隔で突き立てて設置することを特徴としている。
【００１７】
請求項１３の発明は、上記請求項１２の害獣忌避工法において、上記地面が盛り土又は削土による傾斜地Ｓである構成としている。
【発明の効果】
【００１８】
請求項１の発明に係る害獣忌避具Ｔ１〜Ｔ４によれば、切断竹材１の中空部１０内に害獣忌避剤２を収容しているから、該切断竹材１を中空部１０の開口部１０ａ側が上になる姿勢で、地面に突き立てたり、適当な治具や索体等を介して固定しておけば、害獣忌避剤２が散逸することなく、その臭気による忌避作用を長期にわたって安定的に発揮できる。また、害獣忌避剤２を保持させる切断竹材１は、非常に安価に入手できる上に、節１１によって有底の中空部１０を構成するため、害獣忌避剤２を収容するのに格別な加工を施す必要がなく、しかも使用状態で放置しておいても、最終的に朽ち果ててバクテリア等の微生物によって分解されるから、環境への負荷にならない。
【００１９】
請求項２の発明によれば、害獣忌避剤２が木酢液と籾酢液の少なくとも一方を含む液剤からなるため、害獣に対する優れた忌避作用を発揮できると共に、害獣忌避剤２自体に毒性がなく環境汚染の問題を生じない。
【００２０】
請求項３の発明によれば、害獣忌避剤２が肉食獣の排泄物又はその成分を含むため、鹿を始めとする植生を食害する草食獣に対する優れた忌避作用を発揮できると共に、害獣忌避剤２自体に毒性がなく環境汚染の問題を生じない。
【００２１】
請求項４の発明によれば、中空部１０内に装填された繊維材３により、液状の害獣忌避剤２が安定状態に含浸保持されると共に、中空部１０の内底部にある害獣忌避剤２も該繊維材３を通した毛管現象によって開口部１０ａ側へ吸い上げられて容易に蒸散し、また使用中に枯れ葉やゴミ等が中空部１０に入り込みにくくなる。
【００２２】
請求項５の発明によれば、中空部１０内に装填された上記繊維材３が親油性であるから、該中空部１０内に雨水が侵入して溜まることがあっても、油性の害獣忌避剤２が毛管現象で該繊維材３を通して外部へ蒸散し、もって継続的に害獣忌避作用が発揮される。
【００２３】
請求項６の発明によれば、中空部１０の開口部１０ａが竹材１の径方向の切断口からなるため、該開口部１０ａを形成するための格別な加工が不要であり、それだけ害獣忌避具の製作が容易になる。
【００２４】
請求項７の発明によれば、中空部１０の開口部１０ａが竹材１の周面部に形成されているから、該中空部１０内へ雨水が入り込みにくく、それだけ安定した害獣忌避作用を発揮できる。
【００２５】
請求項８の発明によれば、切断竹材１の下端１ｂが斜め切りされているから、傾斜地等に対し、斜め切りの他端１ｂ側を突き立てて容易に固定できる。
【００２６】
請求項９の発明によれば、切断竹材１の下端１ｂ側に細い棒状材５が装着されているから、傾斜地等に対し、該棒状材５を突き立てて容易に固定できる。また、該棒状材として竹の上部や枝部等の細い部分を使用すれば、資源の有効利用にもなる。
【００２７】
請求項１０の発明によれば、未使用状態で中空部１０の開口部１０ａに封止フィルム４が貼着されているから、使用前の害獣忌避剤２の消耗を抑制できると共に、輸送中、保管中、販売時の陳列中等に害獣忌避剤２の臭気が周辺に漂うのを防止できる。
【００２８】
また、請求項１１の発明に係る害獣侵入防止柵Ｆは、上記の害獣忌避具Ｔ４を支柱Ｐに用いているから、柵としての侵入遮断機能に加えて臭気による忌避作用も発揮でき、もって害獣の侵入防止に極めて有効である。
【００２９】
請求項１２の発明に係る害獣忌避工法によれば、地面に突き立てた害獣忌避具Ｔ１…，Ｔ２…から発する害獣忌避剤２の臭気により、害獣が寄り付くのを確実に防止できる。従って、当該地面に表土固定用として種蒔きしたり植え付けた草木が充分に育つ前に動物に食べられたり荒らされて傷んだりする懸念がなく、これら草木の根張りによって早期に崩落や表土流出の防止効果が得られる。しかも、使用した切断竹材１…は、最終的に朽ち果てて土壌化するから、草木の生育後に回収する必要がなく、プラスチック材のような放置による環境問題を生じない。
【００３０】
請求項１３の発明によれば、特に盛り土又は削土による傾斜地Ｓを対象として、害獣忌避具Ｔ１…〜Ｔ３…から発する害獣忌避剤２の臭気によって害獣が寄り付くのを確実に防止でき、表土固定用として種蒔きしたり植え付けた草木の根張りにより、早期に崩落や表土流出の防止効果が得られる。
【発明を実施するための最良の形態】
【００３１】
以下、本発明に係る害獣忌避具の一実施形態について、図面を参照して具体的に説明する。図１は第１実施形態の害獣忌避具Ｔ１の縦断面、図２は同害獣忌避具Ｔ１の外観、図３は同害獣忌避具Ｔ１の使用状態、図４は第二実施形態の害獣忌避具Ｔ２の側面、図５は同害獣忌避具Ｔ２の使用状態、図５は第三実施形態の害獣忌避具Ｔ３の正面及び縦断面、図６は第四実施形態の害獣忌避具Ｔ４を用いた害獣侵入防止柵Ｆ、をそれぞれ示す。
【００３２】
図１及び図２で示すように、第１実施形態の害獣忌避具Ｔ１では、その本体が中間の節１１を境として短い筒部１２と長い筒部１３と有する切断竹材１にて構成され、該竹材１の短い筒部１２側の上端１ａが径方向に切断されているのに対し、長い筒部１３側の下端１ｂが斜め切りされた形になっている。
【００３３】
そして、害獣忌避具Ｔ１は、切断竹材１における短い筒部１２側の節１１を底として且つ上端１ａを開口部１０ａとした中空部１０内に、液状の害獣忌避剤２（図１で斜線部として示す）と、綿状の繊維材３とが装填されている。また、この害獣忌避具Ｔの未使用状態では、上端１ａ側つまり中空部１０の開口部１０ａが封止フィルム４によって封止されている。
【００３４】
ここで、害獣忌避剤２は、忌避対象とする害獣、例えば植生を食害する猪、鹿、ウサギ、ネズミ等や、保護地域に入り込んで植生を荒らす野良犬、野良猫、モグラ等が嫌う臭気を発するものであればよいが、環境負荷にならず且つ毒性のないものが望ましい。そして、このような条件を満たす天然素材で、加えて害獣忌避効果に優れる害獣忌避剤２として、木酢液と籾酢液の少なくとも一方を有効成分とするものや、草食獣が恐れる肉食獣の排泄物やその成分を含むものが推奨される。なお、害獣忌避剤２の好適な市販品として、これら木酢液及び籾酢液に更にニンニクや天然ハーブエキス等を加えた「タナカマイスター社の商品名：金太郎忌避王」がある。
【００３５】
また、中空部１０内に装填される綿状の繊維材３は、特に繊維材質の制約はないが、液状の害獣忌避剤２に対する含浸性を有するものが好ましく、これによって液状の害獣忌避剤２が中空部１０内で含浸状態で安定に保持されると共に、中空部１０の内底部にある害獣忌避剤２も該繊維材３を通した毛管現象によって開口部１０ａ側へ効率よく吸い上げられて容易に蒸散する。
【００３６】
特に液状の害獣忌避剤２が前記の木酢液や籾酢液のような油性液である場合、繊維材３として親油性のものを使用することにより、降雨に晒される屋外での使用状態で雨水が中空部１０に浸入して溜まっても、害獣忌避剤２が親油性の繊維材３を通して毛管現象で吸い上げられて外部へ蒸散するから、継続的に害獣忌避作用を発揮できる。しかして、このような親油性の繊維材３としては、未脱脂綿や、未脱脂綿を主体としてポリエステル繊維等を混合したものが、コスト面と綿の生分解性の点から推奨される。
【００３７】
害獣忌避具Ｔ１の未使用状態で用いる封止フィルム４は、中空部１０の開口部１０ａを気密封止して臭気の漏出を防止できる材質であればよく、例えばアルミ箔にポリエチレン等の合成樹脂をコーティングしたフィルム、アルミ箔と合成樹脂フィルムとのラミネートフィルム等が挙げられる。このような封止フィルム４を開口部１０ａに被着するには、適当な接着剤を用いて接着するか、フィルムの樹脂層を利用して融着すればよい。
【００３８】
上記構成の害獣忌避具Ｔ１は、害獣忌避剤２から発散する臭気によって様々な害獣を寄せ付けなくする忌避作用を発揮するものであり、切断竹材１の上端１ａつまり中空部１０の開口部１０ａが上向きになる姿勢で、地面に突き立てたり、適当な治具や索体等を介して固定して使用すればよく、臭気による問題を生じない限りは屋内外を含めて使用部位に制約はないが、野生動物の多い山間部の造成地全般、特に崩落や表土流出を生じ易い傾斜地において、表土固定用の草木が生育するまで害獣の食害から守るのに好適である。
【００３９】
すなわち、既述のように、山間部での路盤形成、宅地造成、造園等による造成地、とりわけ盛り土又は削土によって生じた傾斜地では、生育が早い草木の種蒔きや植え付けを行い、その発育による地中への根張りを利用して崩落及び表土流出を防止する手法が広く採用されているが、草木が充分に育つ前に猪、鹿、ウサギ等に食べられてしまい、根張りによる表土固定効果が得られない場合が多々ある。そこで、図３に示すように、本発明の害獣忌避具Ｔ１…を用い、封止フィルム４を剥ぎ取った切断竹材１を、斜め切りで尖った下端１ｂを利用して傾斜地Ｓに所要間隔置きに突き立てておけば、これら害獣忌避具Ｔ１…から発する害獣忌避剤２の臭気により、食害する動物が寄り付くのを確実に防止でき、草木の根張りによる表土固定によって早期に崩落や表土流出の防止効果が得られる。
【００４０】
なお、表土固定用としての草木は、施工時の季節による長短はあるが、一般的に種蒔きや植え付けから６カ月〜１年程度の期間を保護すれば、それ以降に猪、鹿、ウサギ等に食害されても根が残って表土固定効果を充分に維持し、また根株から葉茎も再生するから、害獣忌避具Ｔ１による忌避作用つまり害獣忌避剤２の臭気発散作用も６カ月〜１年程度持続できればよい。しかして、この保護期間中、傾斜地Ｓに突き立てた各害獣忌避具Ｔ１の中空部１０は上向きに開放しているが、該中空部１０内には繊維材３が装填されているから、枯れ葉やゴミ、塵埃等が入り込んで害獣忌避剤２による忌避作用を阻害する懸念がないと共に、油性液からなる害獣忌避剤２に対して親油性の繊維材３を用いることにより、既述のように降雨に晒されて雨水が中空部１０内に溜まっても、繊維材３を通した毛管現象で害獣忌避剤２が吸い上げられて外部へ蒸散し、もって継続的に害獣忌避作用が発揮される。
【００４１】
また、この害獣忌避具Ｔ１では、切断竹材１の下端１ｂが斜め切りによる尖端をなすため、地面に突き立てた状態に固定する際、前もって孔を穿って埋め込む必要がなく、人手のみで容易に地面に突き立てることができ、地面が硬い場合でも周辺の石や木材、木槌等を利用して簡単に打ち込めるから、斜度の急な傾斜地でも施工作業を容易に行える。しかも、施工後の害獣忌避具Ｔ１は、そのまま放置しておけば、切断竹材１が最終的に朽ち果てて地中のバクテリア等の微生物によって分解されて土壌化するから、草木の生育後にも回収する必要がなく、プラスチック材のような放置による環境問題を生じない。
【００４２】
更に、この害獣忌避具Ｔ１にあっては、使用する切断竹材１が非常に安価に入手できる上に、節１１によって有底の中空部１０を構成するため、害獣忌避剤２を収容するのに格別な加工を施す必要がなく、鋸等による切断操作だけで能率よく低コストで製作できるという利点がある。一方、この害獣忌避具Ｔの未使用状態では、中空部１０の開口端に封止フィルム４を貼着するから、使用前の害獣忌避剤２の消耗を抑制できると共に、輸送中、保管中、販売時の陳列中等に害獣忌避剤２の臭気が周辺に漏れるのを防止できる。
【００４３】
図４に示す第二実施形態の害獣忌避具Ｔ２では、切断竹材１の上端１ａ側は、前記第１実施形態の害獣忌避具Ｔ１と同様に、節１１ａを底とした中空部１０内に害獣忌避剤２及び繊維材３（図中で破線斜線部として示す）が装填され、未使用状態で該上端１ａを封止フィルム４にて封止するようになっている。しかるに、該切断竹材１の下端１ｂ側は、斜め切りされておらず、その代わりに細い棒状材５が節１１ｂを貫通して外へ突出した状態に装着されている。
【００４４】
このような害獣忌避具Ｔ２は、前記第１実施形態の害獣忌避具Ｔ１と同様に害獣忌避剤２から発散する臭気で様々な害獣に対する忌避作用を発揮するものであり、切断竹材１の上端１ａつまり中空部１０の開口部１０ａを上向きにする姿勢で、下端１ｂ側の棒状材５を地面に突き立てて立設できる。従って、例えば図５に示すように、崩落や表土流出を生じ易い傾斜地Ｓに害獣忌避具Ｔ２…を立設しておけば、表土固定用の草木が生育するまで害獣の食害から効果的に守ることができる。
【００４５】
この害獣忌避具Ｔ２における棒状材５としては、特に制約はないが、朽ちて土壌化する利点から竹や木の棒、鉄棒等が好適であり、特に竹の棒では廃棄対象であった竹の上部や枝部の細い部分を使用できるので資源の有効利用になる。しかして、棒状材５を切断竹材１に装着するには、棒状材５の太さに応じ、該切断竹材１の節に穿孔して圧入したり、節を利用せずに該切断竹材１の中空部に、直接に又は布やテープを巻き付けた状態で圧入する方法の他、釘、ビス、針金、接着テープ、接着剤等で固定する方法も採用できる。
【００４６】
前記の第１及び第二実施形態の害獣忌避具Ｔ１，Ｔ２では中空部１０の開口部１０ａが切断竹材１の径方向の切断口からなるものを例示したが、該開口部１０ａは図６（Ａ）（Ｂ）に示す第三実施形態の害獣忌避具Ｔ３のように切断竹材１の周面部に設けるようにしてもよい。
【００４７】
この第三実施形態の害獣忌避具Ｔ３では、切断竹材１の節１１，１１間の中空部１０に前記同様の害獣忌避剤２及び繊維材３を装填しており、該切断竹材１の周面部に中空部１０の開口部１０ａを設けてある。この場合、害獣忌避具Ｔ３の製作に際して開口部１０ａを形成する手間を要するが、当該開口部１０ａが側面に開口していることにより、屋外での使用状態で雨水が中空部１０に浸入しにくく、それだけ害獣忌避剤２の臭気の蒸散が安定してなされるという利点がある。なお、この第三実施形態の害獣忌避具Ｔ３は切断竹材１の下端１ａが斜め切りされているが、このように下端１ａを斜め切りにする代わりに第２実施形態のように細い棒状材５を装着する構成としてもよい。
【００４８】
本発明の害獣忌避具は、図３及び図５で示すような盛り土や削土によって生じた傾斜地に限らず、森林公園を始めとする様々な植生保護域、畑、菜園、果樹園等における害獣、例えば植生や作物を食害する猪、鹿、ウサギ、ネズミ等や、入り込んで荒らす野良犬、野良猫、モグラ等を寄せ付けなくしたり、更には一般家庭における花壇や敷地内での犬猫除け等にも好適に使用できる。
【００４９】
また、前記の第１〜第三実施形態の害獣忌避具Ｔ１〜Ｔ３では切断竹材１として節が１つ及び２つの短いものを例示しているが、切断竹材１の長さは忌避対象とする動物の種類や大きさに応じて適宜設定すればよく、節数の制約もない。更に必要とあらば、短い切断竹材１の複数本を適当な手段で連結し、長くして用いることもできる。
【００５０】
図６は、本発明の第４実施形態の害獣忌避具Ｔ４を支柱Ｐとして利用した害獣浸入防止柵Ｆを示す。この第４実施形態の害獣忌避具Ｔ４は、切断竹材１として節１１の数が多く（図示は４つ）比較的に長いもので、その一カ所の節１１，１１間の中空部１０の上部側面に開口部１０ａを設け、当該中空部１０内に害獣忌避剤２及び繊維材３（図示省略）を装填した構成になっている。そして、害獣侵入防止柵Ｆは、当該害獣忌避具Ｔ４の複数本を地面に突き立てて支柱Ｐ…とし、これら支柱Ｐ…を利用して侵入防止ネットＮを張設しており、柵としての物理的な侵入遮断機能に加え、害獣忌避剤２が蒸散する臭気による忌避作用も発揮できるから、害獣の侵入防止に極めて有効である。
【００５１】
なお、このような害獣侵入防止柵Ｆでは、各支柱Ｐにおける開口部１０ａは、図示実線に示す位置に限らず、図示仮想線に示すように、対象とする害獣の大きさ（体高）に応じて形成位置を高低に変更できると共に、高さの異なる複数箇所に設けてもよい。また、侵入防止ネットＮとしては、鋼線、ロープ、合成樹脂線等の様々な線材からなる編組の他、金属や合成樹脂からなる硬質の一体物も使用できると共に、その網目形状についても図示以外に種々設定できる。更に、侵入防止ネットＮに代えて、支柱Ｐ…間に枠材や板材を張設した構成も可能である。
【図面の簡単な説明】
【００５２】
【図１】本発明の第１実施形態に係る害獣忌避具の縦断側面図である。
【図２】同害獣忌避具の未使用状態での外観を示す斜視図である。
【図３】同害獣忌避具の傾斜地での使用状態を示す断面図である。
【図４】本発明の第２実施形態に係る害獣忌避具の正面図である。
【図５】同害獣忌避具の傾斜地での使用状態を示す断面図である。
【図６】本発明の第３実施形態に係る害獣忌避具を示し（Ａ）は外観図、（Ｂ）は縦断側面図である。
【図７】本発明の第４実施形態に係る害獣忌避具を用いた害獣侵入防止柵の正面図である。
【符号の説明】
【００５３】
１              切断竹材
１ａ            上端
１ｂ            下端
１０            中空部
１０ａ          開口部
１１            節
１１ａ，１１ｂ  節
２              害獣忌避剤
３              繊維材
４              封止フィルム
５              棒状材
Ｆ              害獣侵入防止柵
Ｎ              侵入防止ネット
Ｐ              支柱
Ｔ１〜Ｔ４      害獣忌避具
Ｓ              傾斜地
【図１】
2008283911.tif 000003
【図２】
2008283911.tif 000004
【図３】
2008283911.tif 000005
【図４】
2008283911.tif 000006
【図５】
2008283911.tif 000007
【図６】
2008283911.tif 000008
【図７】
2008283911.tif 000009